(57)【特許請求の範囲】
【請求項１】
外径が先細りのテーパ管状に形成されて先側から可撓性チューブに差し込まれる接続管と、上記接続管のテーパ管状部分に被嵌された上記可撓性チューブの外面に当接するテーパ状の内周面を有する内面テーパ筒と、上記接続管に対して固定的に形成された雄ネジと螺合する雌ネジが内周部に形成されて上記内面テーパ筒を軸線方向に押圧する押圧用ネジ環とを有し、上記両ネジを螺合させることにより、上記押圧用ネジ環が上記内面テーパ筒を軸線方向に押圧し、上記可撓性チューブが上記内面テーパ筒の内面と上記接続管の外面との間に挟み付けられて上記接続管に固定されるようにした内視鏡の可撓性チューブ接続部において、
上記内面テーパ筒と上記接続管の一方には外面に露出するスリット状の溝が軸線と平行方向に形成されて、他方には、上記内面テーパ筒と上記接続管とが軸線方向に相対的に移動することにより上記スリット状の溝に対して直接係脱する突起が形成され、上記スリット状の溝と上記突起とが直接係合することにより、上記内面テーパ筒が上記接続管に対して軸線周りに回転しないように上記内面テーパ筒の回転動作が規制されるようにしたことを特徴とする内視鏡の可撓性チューブ接続部。
【請求項２】
上記突起として、上記接続管に、上記テーパ管状部分と上記雄ネジ部分との間の位置からピンが突設されている請求項１記載の内視鏡の可撓性チューブ接続部。
【発明の詳細な説明】
【０００１】
【発明の属する技術分野】
この発明は内視鏡の可撓性チューブ接続部に関する。
【０００２】
【従来の技術】
内視鏡の処置具挿通チャンネル等とそれに接続される接続管との接続部は、水漏れ等が発生しないように気密に接続しなければならないが、単なる接着だけで固定したのでは、通過する処置具により加えられる力で接着が破壊されてしまう可能性がある。
【０００３】
そこで、内視鏡の可撓性チューブ接続部は、例えば図５に示されるように、ステンレス鋼管製のガイドパイプ７の先端に、外径が先細りのテーパ管状に形成されて先側から可撓性チューブ製の処置具挿通チャンネル３に差し込まれる接続管１１が取り付けられている。
【０００４】
そして、接続管１１のテーパ管状部分に被嵌された処置具挿通チャンネル３の外面に当接するテーパ状の内周面を有する内面テーパ筒１２と、接続管１１に形成された雄ネジ１１ａと螺合する雌ネジ１３ａが内周部に形成されて内面テーパ筒１２を軸線方向に押圧する押圧用ネジ環１３とが設けられている。
【０００５】
このような構成によって、両ネジ１１ａ，１３ａを螺合させることにより、押圧用ネジ環１３が内面テーパ筒１２を軸線方向に押圧し、処置具挿通チャンネル３が内面テーパ筒１２の内面と接続管１１の外面との間に挟み付けられて接続管１１に固定される。
【０００６】
【発明が解決しようとする課題】
上述のような従来の内視鏡の可撓性チューブ接続部は、処置具挿通チャンネル３を内面テーパ筒１２の内面と接続管１１の外面との間に挟み付けて接続管１１に強固に固定することができる。
【０００７】
しかし、押圧用ネジ環１３が軸線周りに回転しながら内面テーパ筒１２を軸線方向に押圧することにより、押圧用ネジ環１３と共に内面テーパ筒１２が回転するので、それによって処置具挿通チャンネル３の端部付近Ａが軸線周りに捩じられて座屈してしまう場合があった。
【０００８】
また、処置具挿通チャンネル３が座屈しない場合でも、捩じり力が加わったままの状態で処置具挿通チャンネル３が組み付けられることにより、処置具挿通チャンネル３が挿通配置されている内視鏡の挿入部に蛇行が発生する等の悪影響を与えていた。
【０００９】
そこで本発明は、螺合部品の組み合わせにより可撓性チューブの端部をテーパ面に強固に挟み付けて接続固定することができ、しかも可撓性チューブの端部に捩じり力が作用せず安定した品質の内視鏡の可撓性チューブ接続部を提供することを目的とする。
【００１０】
【課題を解決するための手段】
上記の目的を達成するため、本発明の内視鏡の可撓性チューブ接続部は、外径が先細りのテーパ管状に形成されて先側から可撓性チューブに差し込まれる接続管と、接続管のテーパ管状部分に被嵌された可撓性チューブの外面に当接するテーパ状の内周面を有する内面テーパ筒と、接続管に対して固定的に形成された雄ネジと螺合する雌ネジが内周部に形成されて内面テーパ筒を軸線方向に押圧する押圧用ネジ環とを有し、両ネジを螺合させることにより、押圧用ネジ環が内面テーパ筒を軸線方向に押圧し、可撓性チューブが内面テーパ筒の内面と接続管の外面との間に挟み付けられて接続管に固定されるようにした内視鏡の可撓性チューブ接続部において、内面テーパ筒が接続管に対して軸線周りに回転しないように内面テーパ筒の回転動作を規制するための回転規制部材を設けたものである。
【００１１】
なお、回転規制部材が、互いに係合するように内面テーパ筒と接続管とに形成された突起と凹部であってもよい。
【００１２】
【発明の実施の形態】
図面を参照して本発明の実施例を説明する。
図４は内視鏡の全体構成を示しており、操作部１の下端に連結された可撓性の挿入部２内には、例えば四フッ化エチレン樹脂等のような可撓性チューブからなる処置具挿通チャンネル３が全長にわたって挿通配置されていて、処置具挿入口４は操作部１の下端付近の外面に斜め上方に向けて突設され、処置具突出口５は挿入部２の先端に開口している。
【００１３】
処置具挿入口４と処置具挿通チャンネル３の基端との間は、例えばステンレス鋼管製の滑らかにカーブしたガイドパイプ７によって接続されており、吸引管６がその付近に分岐接続されている。
【００１４】
処置具挿通チャンネル３とガイドパイプ７とは接続機構１０によって接続されており、図１はその部分を拡大して示している。
ガイドパイプ７の先端には、外径が先細りのテーパ管状に形成された金属製の接続管１１がロー付け等によって固着されている。
【００１５】
接続管１１は、最先端部分の外径寸法が処置具挿通チャンネル３の内径寸法と略同程度に設定されて、先側半部がテーパ管状に形成されており、接続管１１の基端側半部の外周には、テーパ管状部分より一段と太い径で雄ネジ１１ａが形成されている。
【００１６】
接続管１１のテーパ管状部分は処置具挿通チャンネル３に差し込まれ、そのようにして接続管１１のテーパ管状部分に被嵌された処置具挿通チャンネル３を囲むように取り付けられる筒状の内面テーパ筒１２は、内周面が処置具挿通チャンネル３の外面に当接するテーパ面になっている。
【００１７】
接続管１１の雄ネジ１１ａと螺合する雌ネジ１３ａが基端側内周部に形成された押圧用ネジ環１３は、中間部分が内面テーパ筒１２の外周面に緩く嵌合する形状に形成されており、先端部分には内面テーパ筒１２の外径より小さな内径の押圧部１３ｂが形成されている。
【００１８】
したがって、押圧用ネジ環１３の雌ネジ１３ａを接続管１１の雄ネジ１１ａに螺合させて締め込んでいくと、内面テーパ筒１２が押圧用ネジ環１３の押圧部１３ｂにより軸線方向に押圧され、処置具挿通チャンネル３が内面テーパ筒１２の内面と接続管１１の外面との間に挟み付けられて接続管１１に強固に固定された状態になる。
【００１９】
そして、この実施例においては、接続管１１のテーパ管状部分と雄ネジ１１ａ部分との間にピン１５（突起）が側方に突設されており、押圧用ネジ環１３を省いてその部分を正面から見た図２にも示されるように、ピン１５と係合する凹溝１６（凹部）が内面テーパ筒１２に形成されている。
【００２０】
凹溝１６は、内面テーパ筒１２の軸線と平行方向に形成されている。したがって、内面テーパ筒１２は接続管１１に対して軸線方向にスライドすることができるが、軸線周りへの回転運動はピン１５と凹溝１６との係合によって規制されている。
【００２１】
その結果、押圧用ネジ環１３の雌ネジ１３ａを接続管１１の雄ネジ１１ａに螺合させて締め込んでいくと、押圧用ネジ環１３が内面テーパ筒１２対して軸線周りに回転し、内面テーパ筒１２は接続管１１に対して回転しないので、処置具挿通チャンネル３に捩じり力が全く作用しない。
【００２２】
なお、本発明は上記実施例に限定されるものではなく、例えば図３に示されるように、内面テーパ筒１２側に突起２５を形成して、それと係合する凹部２６を接続管１１側に形成してもよい。また、本発明は処置具挿通チャンネル以外の内視鏡各部の可撓性チューブの接続部に適用することができる。
【００２３】
【発明の効果】
本発明によれば、接続管の雄ネジと押圧用ネジ環の雌ネジとを螺合させることにより、押圧用ネジ環が内面テーパ筒を軸線方向に押圧して、可撓性チューブが内面テーパ筒の内面と接続管の外面との間に挟み付けられて接続管に固定されるので、可撓性チューブの端部をテーパ面に強固に挟み付けて接続固定することができ、しかも、内面テーパ筒が接続管に対して軸線周りに回転しないように内面テーパ筒の回転動作を規制するための回転規制部材を設けたことにより、可撓性チューブの端部に捩じり力が作用しないので、安定した品質で可撓性チューブの接続を行うことができる。
【図面の簡単な説明】
【図１】本発明の第１の実施例の内視鏡の可撓性チューブ接続部の側面断面図である。
【図２】本発明の第１の実施例の内視鏡の可撓性チューブ接続部の押圧用ネジ環が取り外された状態の正面図である。
【図３】本発明の第２の実施例の内視鏡の可撓性チューブ接続部の押圧用ネジ環が取り外された状態の正面図である。
【図４】本発明が適用された内視鏡の全体構成を示す側面図である。
【図５】従来の内視鏡の可撓性チューブ接続部の側面断面図である。
【符号の説明】
３  処置具挿通チャンネル（可撓性チューブ）
７  ガイドパイプ
１０  接続機構
１１  接続管
１１ａ  雄ネジ
１２  内面テーパ筒
１３  押圧用ネジ環
１３ａ  雌ネジ
１５  ピン（回転規制部材）
１６  凹溝（回転規制部材）
２５  突起（回転規制部材）
２６  凹部（回転規制部材）
【図１】
0003898937.tif 000002
【図２】
0003898937.tif 000003
【図３】
0003898937.tif 000004
【図４】
0003898937.tif 000005
【図５】
0003898937.tif 000006